(57)【特許請求の範囲】
【請求項１】
画像記録部と、上下方向において当該画像記録部の上部に設けられたフラットベッド方式のスキャナ部とを備えた複合機であって、
上記スキャナ部は、
画像が読み取られる原稿が載置される画像読取面と、
上記上下方向と直交する主走査方向に沿って延び、上記画像読取面に載置された原稿に記録された画像を上記上下方向及び上記主走査方向と直交する副走査方向に沿って移動しながら読み取るイメージセンサと、を有しており、上記画像読取面内に載置される原稿の内の最大サイズの原稿を上記イメージセンサが上記副走査方向に沿って移動しながら読取可能な読取可能領域は、上記副走査方向の長さが上記主走査方向の長さよりも長く、
上記画像記録部は、
当該画像記録部内において上記主走査方向における一方側から上記主走査方向における他方側に向けて形成される搬送路を搬送されるシートに、上記スキャナ部によって読み取られた原稿に記録された画像を記録する記録部と、
上記記録部によって画像が記録され且つ上記搬送路を搬送されたシートが排出される排紙トレイと、を有しており、
さらに、当該複合機は、
当該複合機の上記主走査方向における上記一方側を中心に回動して、上記画像読取面を開閉する原稿カバー、を有し、
上記排紙トレイに排出された上記搬送路内を搬送される最大サイズのシートが占める排出領域の一部が、上記上下方向から見て、上記読取可能領域の一部と重複し、且つ当該複合機の上記副走査方向における一方側において、上記排出領域の上記副走査方向における上記一方側の端は、上記読取可能領域の上記副走査方向における上記一方側の端よりも、上記副走査方向における上記一方側へ所定距離だけずらされるように構成され、
上記所定距離は、上記上下方向から見て、上記排紙トレイに排出された上記最大サイズのシートに記録された画像の一部が、閉じられた上記原稿カバーの、上記主走査方向における上記他方側の端よりも上記主走査方向における上記他方側にはみ出た原稿によって覆われない距離である複合機。
【請求項２】
上記所定距離は、上記副走査方向において、上記読取可能領域と上記排出領域とが重複する距離よりも小さい距離である請求項１に記載の複合機。
【請求項３】
上記副走査方向における、上記排出領域と上記読取可能領域とが重複しない部分に、上記画像記録部を制御するための制御回路が配置されている請求項１又は２に記載の複合機。
【請求項４】
上記副走査方向における、上記排出領域と上記読取可能領域とが重複しない部分に、上記スキャナ部を制御するための制御回路が配置されている請求項１又は２に記載の複合機。
【請求項５】
上記画像記録部は、上記排紙トレイの下方に位置し、シートが載置される給紙トレイを更に備え、
上記搬送路は、上記給紙トレイに載置されたシートを上方に向かうにつれて上記主走査方向における上記一方側から上記主走査方向における上記他方側へと湾曲するＵターン経路と、当該Ｕターン経路を通過したシートが通過し、上記主走査方向における上記一方側から上記主走査方向における上記他方側へと向かう直線路と、を有する請求項１から４のいずれか一項に記載の複合機。
【請求項６】
当該複合機は、上記給紙トレイに載置された上記最大サイズのシートが占める載置領域と、上記読取可能領域と、が上記主走査方向においてそれぞれ一部が重複し、且つ上記読取可能領域の方が上記載置領域に対して上記主走査方向における上記一方側に位置するように構成される請求項５に記載の複合機。
【請求項７】
上記画像記録部は、当該給紙トレイから搬送されて上記Ｕターン経路を搬送されたシートが、上記直線路へと搬送され、且つ上記直線路を搬送されるシートに上記記録部が画像を記録し且つ上記記録部によって画像が記録されたシートが排出されるように構成され、
当該複合機は、上記給紙トレイに載置された上記最大サイズのシートが占める載置領域と、上記排出領域と、が上記主走査方向においてそれぞれ一部が重複し、且つ上記載置領域の方が上記排出領域に対して上記主走査方向における上記一方側に位置し、さらに上記読取可能領域の上記主走査方向における上記他方側の端が、上記載置領域と上記排出領域とが重複する領域内に位置するように構成される、請求項５又は６に記載の複合機。
【請求項８】
少なくとも上記画像記録部を収容する筐体を備え、
上記排紙トレイは、第１の姿勢と、当該第１の姿勢から上記主走査方向における上記他方側へと伸び且つ上記筐体の上記主走査方向における上記他方側の面よりも上記主走査方向における上記他方側に伸びる第２の姿勢と、の間で姿勢変化可能に構成される請求項１から７のいずれか一項に記載の複合機。
【請求項９】
上記筐体は上記スキャナ部を収容し、
上記原稿カバーは、上記筐体の上記主走査方向における上記一方側において、回動可能に連結される請求項８に記載の複合機。
【請求項１０】
上記画像記録部は、
上記副走査方向に沿って移動するキャリッジと、
上記キャリッジに支持され、上記搬送路を搬送されるシートにインクを吐出する記録ヘッドと、を備える請求項１から９のいずれか一項に記載の複合機。
【発明の詳細な説明】
【技術分野】
【０００１】
本発明は、スキャナ部が原稿から読み込んだ画像に基づいて、画像記録部がシートに画像を記録するコピー機能を有した複合機に関する。
【背景技術】
【０００２】
従来、原稿の画像を読み込む機能（スキャン機能）を有するスキャナ部と記録用紙に画像を記録する機能（プリント機能）を有する画像記録部とを備えた複合機が広く知られている。一般的な複合機は、画像記録部が下部に設けられ、スキャナ部が上部に設けられている。
【０００３】
画像記録部は、画像が記録されたシートが排出される排紙トレイを備えている。画像の記録が行われる際、排紙トレイは、複合機の前面から延出された状態となる。つまり、シートは、ユーザから見て、部分的に複合機の前面よりも手前側に排出される。
【０００４】
また、複合機の上側面には、スキャナ部が有する原稿保持プレートが設けられている。原稿保持プレートの下側には、光学的な方法によって原稿保持プレートに載置された原稿から画像を読み込むイメージセンサが配置されている。
【０００５】
このような構成の複合機は、スキャナ部が原稿から読み込んだ画像に基づいて、画像記録部がシートに画像を記録するコピー機能を有している。コピー機能を有した複合機は、例えば、下記特許文献１に開示されている。
【先行技術文献】
【特許文献】
【０００６】
【特許文献１】特開２００９−４４６０５号公報
【発明の概要】
【発明が解決しようとする課題】
【０００７】
上記構成のような複合機において、ユーザは、スキャナ部が読み込み可能な最大サイズよりも大きな原稿を使用してコピー操作を行うことがある。その場合、ユーザは、原稿のコピーしたい領域を、原稿保持プレートの読取可能領域に合わせた状態でコピー操作を行う。原稿のサイズによっては、原稿の一部が原稿保持プレートに収まりきらず、複合機の側面に沿って下方へ垂下されることがある。複合機の側面からは、排紙トレイが突出されているため、排紙トレイの位置によっては、原稿の一部が排紙されたシートを覆ってしまい、シートに記録された画像をユーザが確認することが困難となることがある。
【０００８】
主として小型の複合機は、収納性の観点から奥行きと高さ方向の寸法が比較的短く、幅方向の寸法が長くされていることがある。そのような複合機は、排紙トレイ及び原稿保持プレートの長手方向が、複合機の幅方向となるように構成されることがある。コピーしたい画像が、原稿の長手方向中央に対して片側に位置している場合、ユーザは、複合機の奥行き方向を原稿の長手方向として、原稿を載置する。つまり、原稿の上記片側と反対側が、複合機の前面に沿って下方へ垂下される。小型の複合機では、前面側に排紙トレイが設けられていることが多く、また高さ方向の寸法が短いため、原稿の一部が排紙されたシートを覆いやすくなり、上記問題が特に発生しやすい。
【０００９】
本発明は、上記問題に鑑みてなされたものであり、その目的は、スキャナ部が読み込み可能な最大サイズよりも大きな原稿の一部をコピーする場合においても、シートに記録された画像の一部をユーザが確認できる複合機を提供することにある。
【課題を解決するための手段】
【００１０】
(1)  本発明は、画像記録部と、当該画像記録部の上部に設けられたフラットベッド方式のスキャナ部とを備えており、当該スキャナ部が原稿から読み込んだ画像に基づいて、上記画像記録部がシートに画像を記録可能な複合機である。上記スキャナ部は、画像が読み取られる原稿を載置可能な画像読取面と、一端側が当該複合機の背面側に連結されており、当該一端側を中心に回動して、上記画像読取面を開閉する原稿カバーと、を有している。上記画像記録部は、シートを載置可能な第１トレイと、上記第１トレイに載置されたシートを、上記背面側から上方に向かって搬送した後、Ｕターンさせて、当該複合機の前面側へ向かう第１向きへ搬送する搬送路と、上記前面に形成された開口から少なくとも一部が延出されており、上記搬送路を搬送されたシートが排出される第２トレイと、を有している。上方から見て第１向きと直交する第２向きにおいて、上記第２トレイに排出された上記搬送路が搬送可能な最大サイズのシートが占める排出領域の第２向き下流端は、上記画像読取面における読取可能領域の第２向き下流端に対して、第２向き下流側へ第１距離だけずらされている。
【００１１】
本構成によると、シートの第２向き下流側には、原稿によって覆われない領域が第１距離の長さだけ存在する。ユーザは、シートが原稿によって覆われない領域から、記録された画像の一部を確認することができる。
【００１２】
(2)  上記第１トレイに載置された上記搬送路が搬送可能な最大サイズのシートが占める載置領域の第１向き上流端は、上記読取可能領域の第１向き上流端に対して、第１向き下流側へ上記第１距離よりも短い第２距離だけずらされていてもよい。上記載置領域は、全体が上記前面よりも第１向き上流側に位置していてもよい。
【００１３】
本構成によると、読取可能領域の第１向き上流端は、載置領域の第１向き上流端よりも第１向き上流側、つまり装置背面側に位置することになる。それにより、原稿が装置の前面に沿って下方へ垂下される長さが短くなる。つまり、原稿が第２トレイに排出されたシートを覆いにくくすることができる。
【００１４】
(3)  上記画像読取面よりも第１向き下流側に、上記スキャナ部及び上記画像記録部の動作を操作可能な操作パネルが設けられていてもよい。上記操作パネルが第２向きに占める範囲は、少なくとも一部が、上記排出領域の第２向き下流端と上記読取可能領域の第２向き下流端との間にあってもよい。
【００１５】
本構成では、第２向きにおいて、操作パネルの少なくとも一部が原稿載置領域に含まれない。そのため、操作パネルが、装置の前面に沿って下方へ垂下される原稿によって完全に覆われてしまうことはない。つまり、操作パネルが原稿によって覆われない領域にコピー操作のためのボタンなどを配置することで、ユーザは、コピー操作を容易に行うことができる。
【００１６】
(4)  上記読取可能領域と上記載置領域とは、第１向きの長さが互いに等しく、且つ第２向きの長さが互いに等しくてもよい。また、第２向きの長さが第１向きの長さよりも長くてもよい。
【００１７】
(5)  上記スキャナ部は、第２向きと平行に移動しながら、画像読取面に載置された原稿から画像を読み取るイメージセンサを有していてもよい。
【００１８】
(6)  上記第２トレイは、上記開口から少なくとも一部が延出された使用姿勢と、全体が上記開口よりも第１向き上流側に位置する収納姿勢とに姿勢変化可能であってもよい。
【発明の効果】
【００１９】
本発明においては、スキャナ部が読み込み可能な最大サイズよりも大きな原稿の一部をコピーする場合においても、シートが原稿によって完全に覆われることはなく、シートに記録された画像の一部をユーザが確認できる。
【図面の簡単な説明】
【００２０】
【図１】図１は、本発明の実施形態に係る複合機１０の斜視図である。原稿カバー４３は閉じられており、排紙トレイ２０は収納姿勢にある。
【図２】図２は、本発明の実施形態に係る複合機１０の斜視図である。原稿カバー４３は開かれており、排紙トレイ２０は使用姿勢にある。
【図３】図３は、プリンタ部１１の構成を示す模式図である。
【図４】図４は、スキャナ部１１の構成を示す模式図である。なお、原稿カバー４３は省略されている。
【図５】図５は、筐体１３における、プリンタ部１１の載置領域Ｅ１、排出領域Ｅ２、及びスキャナ部１１の読取可能領域Ｅ３の位置関係を示した模式図である。なお、筐体１３以外の構成要素は省略されている。
【図６】図６は、スキャナ部１１によって画像を読み取らせるため、読取可能領域Ｅ３よりも大きな原稿６２をコンタクトガラス４１に載置した状態を示す図である。
【図７】図７は、読取可能領域Ｅ３よりも大きな原稿６２に基づいてコピーが完了した様子を示す模式図である。なお、原稿カバー４３は省略されている。
【発明を実施するための形態】
【００２１】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１，２の状態）を基準として上下方向７を定義し、開口１５が設けられている側を手前側として前後方向８を定義し、複合機１０を手前側（正面）から見て左右方向９を定義する。
【００２２】
［複合機１０の概要］
図１，２に示される複合機１０（本発明の複合機の一例）は、プリンタ部１１（本発明の画像記録部の一例、図２，３を参照）とスキャナ部１２（本発明のスキャナ部の一例、図２，４を参照）とを一体的に備えた多機能装置（ＭＦＤ：Multi Function Device）である。複合機１０は、上下方向７より前後方向８及び左右方向９の寸法が大きい幅広薄型の概ね直方体の筐体１３を備えている。筐体１３の内部に、インクジェット記録方式のプリンタ部１１及び、フラットベッド方式のスキャナ部１２が収容されている。スキャナ部１２は、プリンタ部１１の上方に設けられている。
【００２３】
筐体１３の前面１４（本発明の前面の一例）に、操作パネル１６（本発明の操作パネルの一例）が設けられている。操作パネル１６は、液晶表示パネル１７や複数の操作ボタン１８を有している。液晶表示パネル１７及び操作ボタン１８は、プリンタ部１１及びスキャナ部１２の動作を制御する制御回路（不図示）と電気的に接続されている。ユーザは、操作パネル１６を操作することで、プリンタ部１１及びスキャナ部１２の機能の一部を使用することができる。例えば、ユーザは、操作パネル１６を操作することで、スキャナ部１２が原稿６２（本発明の原稿の一例、図６，７を参照）から読み取った画像を、プリンタ部１１によって記録用紙６１（本発明のシートの一例、図３，７を参照）に記録させるコピー機能を使用することができる。
【００２４】
［プリンタ部１１］
図１，２に示されるように、筐体１３の前面１４には、記録用紙６１が積載された給紙トレイ１９（本発明の第１トレイの一例）が装着されている。給紙トレイ１９は、複合機１０に対して前後方向８に挿抜可能に構成されている。給紙トレイ１９の上方には、画像が記録された記録用紙６１が排出される排紙トレイ２０（本発明の第２トレイの一例）が設けられている。また、筐体１３の前面１４には、排紙トレイ２０に排出された記録用紙６１を取り出すための開口１５（本発明の開口の一例）が形成されている。給紙トレイ１９、排紙トレイ２０、及び開口１５は、それぞれ、操作パネル１６よりも下方に設けられている。
【００２５】
排紙トレイ２０は、図２に示される使用姿勢において、開口１５よりも筐体１３の内側に収まる内側部２１と、内側部２１から開口１５の外側へ向かって延出された第１延出部２２及び第２延出部２３を有している。つまり、使用姿勢において、排紙トレイ２０は、部分的に開口１５から延出されている。これにより、排紙トレイ２０に排出された記録用紙６１は、搬送向きの下流側の一部が筐体１３の前面１４よりも外側に位置することになる。第２延出部２３の先端には、上方に突出する突起２４が形成されている。排紙トレイ２０に排出された記録用紙６１は、搬送向きの下流端である前後方向８の前端が突起２４に当接されて、その位置で停止される。記録用紙６１が排出されるさらに詳細な位置については後述される。
【００２６】
排紙トレイ２０は、前後方向８へ伸縮することで、図１に示される収納姿勢（本発明の収納姿勢の一例）と、図２に示される画像記録可能な使用姿勢（本発明の使用姿勢の一例）とに姿勢変化可能である。排紙トレイ２０を使用姿勢から収納姿勢へと姿勢変化させる際、ユーザは、第２延出部２３の先端を前後方向８の後方に押圧する。第２延出部２３は、第１延出部２２に対して前後方向８の後方に移動して、第１延出部２２の内部に収容される。また、第１延出部２２は、内側部２１に対して前後方向８の後方に移動して、内側部２１の内部に収容される。結果として、第１延出部２２及び第２延出部２３は、それぞれ内側部２１の内部に収容され、開口１５よりも、筐体１３の内側に位置することになる。ユーザは、画像記録を行わないときは、排紙トレイ２０を収納姿勢にしておくことで、複合機１０の前方のスペースを有効に活用できる。
【００２７】
また、ユーザは、第２延出部２３の先端を前後方向８の前方に引くことで、排紙トレイ２０を収納姿勢から使用姿勢へと姿勢変化させることができる。
【００２８】
図３に示されるプリンタ部１１は、インクジェット記録方式に基づいて、記録用紙６１に対してインク滴を選択的に吐出することにより画像を記録するものである。ただし、プリンタ部１１の記録方式はインクジェット記録方式に限定されるものではなく、例えば熱転写方式が採用されてもよい。プリンタ部１１は、上述した給紙トレイ１９や排紙トレイ２０の他、記録用紙６１が搬送される搬送路２７、搬送路２７に沿って記録用紙６１を搬送する各種のローラ、及び搬送路２７において記録用紙６１に画像を記録する記録部３１などを有している。
【００２９】
画像記録の際、給紙トレイ１９に載置された記録用紙６１は、給紙ローラ２５によって前後方向８の後方（筐体１３の背面２６側）へ向けて搬送され、搬送路２７（本発明の搬送路の一例）の一部を構成するＵターン路２８へ供給される。Ｕターン路２８は、上方に向かって円弧を描くように形成された通路である。記録用紙６１は、Ｕターン路２８に沿って上方へ湾曲されながら搬送される。これにより、記録用紙６１はＵターンされ、表裏面が反転される。Ｕターン路２８の下流端は、搬送路２７の一部を構成する直線路２９へ繋がっている。直線路２９は、前後方向８の前方（筐体１３の前面１４側）へ向かう通路である。Ｕターン路２８でＵターンされた記録用紙６１は、搬送ローラ対３０の回転によって、直線路２９に沿って前後方向８の前方へ搬送される。ここで、前後方向８の前方へ向かう向きが本発明の第１向きに相当する。つまり前方ほど第１向き下流であり、後方ほど第１向き上流である。
【００３０】
直線路２９には、記録用紙６１に画像を記録する記録部３１が設けられている。記録部３１は、記録用紙６１を下方から支持するプラテン３２と、直線路２９を挟んでプラテン３２の上方に対向して設けられた記録ヘッド３３とを有している。記録ヘッド３３は、キャリッジ３５に支持されており、キャリッジ３５と一体に左右方向９に往復動する。記録ヘッド３３は、左右方向９に往復動する中で、プラテン３２上を通過する記録用紙６１に対してインク滴を選択的に吐出する。これにより、記録部３１を通過した記録用紙６１に画像が記録される。プラテン３２を通過した記録用紙６１は、排出ローラ対３４によって、直線路２９の最下流側に設けられた排紙トレイ２０に排出される。
【００３１】
［スキャナ部１２］
図４に示されるスキャナ部１２は、コンタクトガラス４１（本発明の画像読取面の一例）上に載置された原稿６２から画像を読み取る所謂フラットベッドスキャナとして構成されている。コンタクトガラス４１は、筐体１３の上面４２に設けられており、透明なガラス板やアクリル板からなる。また、筐体１３よりも上方には、原稿カバー４３（本発明の原稿カバーの一例、図１，２を参照）が設けられている。原稿カバー４３は、筐体１３の背面２６（本発明の背面の一例）側に蝶番４４を介して連結されている。原稿カバー４３は、蝶番４４（図２）を中心に矢印４５（図１），４６（図２）の向きへそれぞれ回動して、筐体１３の上面４２のコンタクトガラス４１に対して開閉する。
【００３２】
原稿カバー４３の裏面４７には、押さえ部材４８（図２）が設けられている。押さえ部材４８は、例えば板状のスポンジからなる。ただし、押さえ部材４８はこれに限定されるものではなく、例えばゴムなどの弾性を有する部材で構成されていてもよい。押さえ部材４８は、原稿カバー４３が閉じられた図１の状態において、コンタクトガラス４１の上面を覆うように形成されている。その際、押さえ部材４８は、コンタクトガラス４１上の原稿６２を押さえて、コンタクトガラス４１上に固定する。
【００３３】
図４に示されるように、コンタクトガラス４１の下側には、画像読取ユニット５１が設けられている。画像読取ユニット５１は、ラインセンサ５２（本発明のイメージセンサの一例）、キャリッジ５３、シャフト５４、及びベルト駆動機構５５などを有している。
【００３４】
棒状のラインセンサ５２は、前後方向８を長手方向としてコンタクトガラス４１の下側に設けられている。ラインセンサ５２は、コンタクトガラス４１の読取領域へ光を照射してその反射光を読み取るものである。本実施形態では、ラインセンサ５２として（ＣＩＳ：Contact Image Sensor）が使用される。図示しないが、ラインセンサ５２は、光源、レンズ、及び受光素子を備えている。光源、レンズ、及び受光素子は、主走査方向であるラインセンサ２５の長手方向（前後方向８）に沿って複数が配列されている。
【００３５】
ラインセンサ５２は、キャリッジ５３によって下方から支持されており、キャリッジ５３は左右方向９を長手方向として設けられたシャフト５４に取り付けられている。
【００３６】
キャリッジ５３は、モータ５６、プーリ５７、及びベルト５８などを有したベルト駆動機構５５から駆動伝達されて、シャフト５４の軌道に沿って、副走査方向である左右方向９へ往復動される。このとき、ラインセンサ５２はキャリッジ５３と一体に移動する。その過程において、ラインセンサ５２は、光源からコンタクトガラス４１へ向けて光を照射する。ラインセンサ５２は、照射した光の反射光をレンズにより集光して受光素子で電気信号に変換する。この電気信号は、制御回路に送信され、制御回路によって画像データの形成が行われる。
【００３７】
［プリンタ部１１とスキャナ部１２との位置関係］
図５は、複合機１０を上方から観察した状態において、給紙トレイ及び排紙トレイの記録用紙６１が占める領域とスキャナ部１２が画像を読み取り可能な領域との位置関係を示している。簡単のため、複合機１０は、筐体１３のみが示されている。なお、図には示されないが、本実施形態において、筐体１３の前後方向８の寸法が２９０ｍｍであり、左右方向９の寸法が４８０ｍｍである。
【００３８】
図５に一点鎖線で示される載置領域Ｅ１（本発明の載置領域の一例）は、プリンタ部１１が画像記録に対応する最大サイズの記録用紙６１、（つまり、搬送路２７が搬送可能な最大サイズの記録用紙６１、以下、単に「最大サイズの記録用紙６１」とする。）が給紙トレイ１９にセットされた際に、最大サイズの記録用紙６１が占める領域である。載置領域Ｅ１は、全体が筐体１３の内側に収まっている。また、載置領域Ｅ１は、左右方向９の長さＬ２が前後方向８の長さＬ１よりも長くなっている。つまり、給紙トレイ１９上には、左右方向９を長手方向として記録用紙６１が載置される。
【００３９】
一例として、Ｌ１とＬ２との比率が１：１．４１であってもよい。このような縦横比の用紙はＡシリーズと呼ばれ、ＩＳＯ２１６やＪＩＳ  Ｐ０１３８によって規格化されている。本実施形態においては、Ｌ１＝２１０ｍｍ  Ｌ２＝２９７ｍｍである。このようなサイズの用紙は、Ａシリーズのなかでも特にＡ４と呼ばれている。つまり、搬送路２７は、Ａ４サイズの記録用紙６１を、短手方向を搬送向きとして搬送するものである。したがって、搬送路２７の幅（左右方向９の長さ）は、記録用紙６１の長手方向の長さ（２９７ｍｍ）よりも長く取られている。ただし、Ｌ１およびＬ２はこの値に限定されるものではなく、他の値であってもよい。
【００４０】
図５に波線で示される排出領域Ｅ２（本発明の排出領域の一例）は、画像記録の後、排紙トレイ２０に排出された最大サイズの記録用紙６１が占める領域である。上述したように、記録用紙６１は、給紙トレイ１９から前後方向８の後方へ向かって搬送路２７へ供給され、搬送路２７を構成するＵターン路２８によってＵターンされ、直線路２９を経て排紙トレイ２０に排出される。この間に記録用紙６１が、左右方向９に移動されることはない。したがって、左右方向９において、排出領域Ｅ２は、載置領域Ｅ１と一致している。
【００４１】
なお、排紙トレイ２０に排出される記録用紙６１の位置は、記録用紙６１の印刷速度などに応じて、前後方向８に僅かなばらつきがある。ただし、殆どの記録用紙６１の搬送は、搬送向きの下流端（前後方向８の前端）が排紙トレイ２０の突起２４に接触することで止められる。したがって、ここでは、記録用紙６１の搬送が突起２４によって止められる位置に基づいて排出領域Ｅ２を定義している。
【００４２】
上述したように、排紙トレイ２０は、第１延出部２２及び第２延出部２３に相当する部分が、筐体１３の前面１４から延出されている。そのため、排出領域Ｅ２は、前後方向８の前端が筐体１３の前面１４よりも前方、つまり筐体１３の外側に位置している。また、前後方向８の後端側の一部は、載置領域Ｅ１の前端側の一部と、前後方向８に長さＬ３だけ重なり合っている。Ｌ３は、Ｌ１の２０％程度であり、本実施形態においては、Ｌ３＝４６．２４ｍｍである。ただし、Ｌ３の値は、排紙トレイ２０が筐体１３の前面１４から延出する長さや、筐体１３の前後方向８の寸法にも左右される。
【００４３】
図５に二点鎖線で示される読取可能領域Ｅ３（本発明の読取可能領域の一例）は、スキャナ部１２のコンタクトガラス４１上の領域のうち、ラインセンサ５２が画像を読み取り可能な領域である。本実施形態においては、読取可能領域Ｅ３の前後方向８及び左右方向９の長さは、最大サイズの記録用紙６１の前後方向８及び左右方向９の長さと同じである。つまり、読取可能領域Ｅ３の前後方向８の長さはＬ１であり、左右方向９の長さはＬ2である。つまり、本実施形態において、ラインセンサ５２が画像を読み取り可能な領域のサイズは、Ａ４サイズである。ただし、読取可能領域Ｅ３の前後方向８及び左右方向９の長さは、最大サイズの記録用紙６１の前後方向８及び左右方向９の長さと必ずしも同一である必要はない。
【００４４】
なお、左右方向９における載置領域Ｅ１及び排出領域Ｅ２の左端は、読取可能領域Ｅ３の左端から左向きへ長さＬ４（本発明の第１距離の一例）だけ離れた位置にある。つまり、載置領域Ｅ１及び排出領域Ｅ２と読取可能領域Ｅ３との左右方向９の長さが互いに等しい本実施形態においては、載置領域Ｅ１及び排出領域Ｅ２は、左右方向９において読取可能領域Ｅ３と完全に重なる位置から左向きへＬ４だけずれていることになる。一例として、Ｌ４はＬ２の１７％程度であり、本実施形態においては、Ｌ４＝５１．２ｍｍである。ここで、左右方向９の左側に向かう向きが、本発明の第２向きに相当する。つまり、左側ほど第２向き下流であり、右側ほど第２向き上流である。
【００４５】
ただし、上記構成は一例であり、載置領域Ｅ１及び排出領域Ｅ２の左右方向９のずれは、これとは反対向きであってもよい、つまり、左右方向９における載置領域Ｅ１及び排出領域Ｅ２の右端は、読取可能領域Ｅ３の右端から右向きへ長さＬ４だけ離れた位置にあってもよい。そのような構成においては、左右方向９の右側に向かう向きが、本発明の第２向きに相当する。
【００４６】
また、前後方向８における載置領域Ｅ１の後端は、読取可能領域Ｅ３の後端から前後方向８の前方へ距離Ｌ５（本発明の第２距離の一例）だけ離れた位置にある。つまり、載置領域Ｅ１と読取可能領域Ｅ３との前後方向８の長さが互いに等しい本実施形態においては、載置領域Ｅ１は、前後方向８において読取可能領域Ｅ３と完全に重なる位置から前向きへＬ５だけずれていることになる。
【００４７】
ここで、Ｌ５＜Ｌ４の関係が成立している。つまり、載置領域Ｅ１と読取可能領域Ｅ３とは、前後方向８よりも左右方向９に大きくずれている。本実施形態においては、Ｌ４＝５１．２ｍｍ，Ｌ５＝１０．５４ｍｍなので、左右方向９のずれの大きさは、前後方向８のずれの大きさのおよそ５倍弱である。
【００４８】
[コピー操作の詳細]
読取可能領域Ｅ３よりも大きなサイズの原稿６２の一部をコピーする際、ユーザが行う操作の詳細が、以下に説明される。
【００４９】
まず、ユーザは、図２に示されるように、原稿カバー４３を開かれた状態にし、排紙トレイ２０を使用姿勢とする。続けて、ユーザは、原稿６２の読み取られる面を下側にして、コピーしたい領域をコンタクトガラス４１の読取可能領域Ｅ３に一致させる。その際、使用される原稿６２のサイズやコピーしたい領域によっては、原稿６２がコンタクトガラス４１のからはみ出すことがある。
【００５０】
例えば、Ａシリーズの１つのＡ３は、短手方向の長さが、Ａ４の長手方向の長さと同じ２９７ｍｍとなっている。したがって、複合機１０において、Ａ３の原稿６２のうち、長手方向中央よりも片側の領域をコピーする場合、ユーザは、原稿６２の長手方向を前後方向８と一致させてコンタクトガラス４１にセットする必要がある。そうすると、図６に示されるように、原稿６２のうち、コンタクトガラス４１に収まらなかった部分が排紙トレイ２０の一部を覆うことになる。
【００５１】
ユーザは、原稿６２がコンタクトガラス４１からはみ出た状態のまま原稿カバー４３を閉じられた状態として、原稿６２をコンタクトガラス４１上に固定する。あるいは、原稿６２が一定の厚みを有する書籍や冊子であり、原稿カバー４３完全に閉じることが困難な場合は、ユーザの手によって原稿６２をコンタクトガラス４１上に押し当てた状態を維持する。
【００５２】
ユーザは、その状態から、複合機１０にコピーを指示する操作を行う。この操作は、例えば、複合機１０に接続されたコンピュータの操作画面を通じて行われてもよいし、筐体１３の前面１４に設けられた操作パネル１６を操作することで行われてもよい。
【００５３】
コピーを指示する操作が行われると、信号を認識した制御回路が、プリンタ部１１及びスキャナ部１２を制御して、原稿６２のコピーが行われる。詳細には、ラインセンサ５２によって、コンタクトガラス４１の下側から原稿６２の画像が読み取られて、画像データが形成される。続けて、給紙トレイ１９から搬送路２７に記録用紙６１が供給される。記録用紙６１が記録部３１を通過するときに、記録ヘッド３３が記録用紙６１にインク滴を噴射する。それにより、当該画像データに基づく画像が記録用紙６１に記録される。画像が記録された記録用紙６１は、排紙トレイ２０に排出される。
【００５４】
このときの複合機１０を上方から観察した様子が図７に示されている。原稿６２が、排紙トレイ２０に排出された記録用紙６１の一部を覆っている。記録用紙６１の左端側には、原稿６２に覆われていない領域が、左右方向９に長さＬ４だけ存在する。この領域からは、記録用紙６１に記録された画像の一部を視認することができる。
【００５５】
なお、載置状態における原稿６２の左右方向９の寸法がコンタクトガラス４１の左右方向９の寸法よりも長い場合、原稿６２は、前後方向８だけでなく、左右方向９においてもコンタクトガラス４１からはみ出すことになる。その場合、ユーザは、原稿６２の左端を、読取可能領域Ｅ３の左端に合わせるようにして、原稿６２をコンタクトガラス４１上にセットする。そうすることで、コンタクトガラス４１の右側からは原稿６２の一部がはみ出すことになるが、記録用紙６１の左端側の原稿６２に覆われない領域は確保される。つまり、ユーザは、記録用紙６１に記録された画像の一部を視認することができる。
【００５６】
［実施形態の作用効果］
本実施形態によると、ユーザがコンタクトガラス４１よりも大きな原稿６２の一部に基づいてコピーを行う場合であっても、排紙トレイに排出された記録用紙６１の左端側には、左右方向９に長さＬ４だけ原稿６２に覆われない領域が確保される。ユーザは原稿６２を動かすことなく、その領域から、記録用紙６１に記録された画像の一部を視認することができる。
【００５７】
記録用紙６１に記録された画像の一部を視認することにより、ユーザは、例えば、記録された画像の領域や向きが正しいか、また、記録された画像の濃さや色合いが適当であるか等を確認することができる。つまり、ユーザは、コピーが完了して原稿６２をコンタクトガラス４１上から取り除くよりも前に、コピーが想定した通りに行われなかったことに気づくことができる。したがって、ユーザがコピー操作をやり直すために、原稿６２を再びコンタクトガラス４１上にセットしなければならない煩わしさを解消することができる。
【００５８】
原稿６２が排紙トレイ２０に排出された記録用紙６１を完全に覆ってしまう従来の構成においても、原稿６２をめくり上げることで、排紙トレイ２０に排出された記録用紙６１を確認することは可能である。しかしながら、原稿６２をめくり上げる際に、原稿６２がコンタクトガラス４１からずれやすくなる。原稿６２が一定の厚みを有する書籍や冊子などの場合には、特にコンタクトガラス４１からずれやすくなる。原稿６２がコンタクトガラス４１からずれてしまうと、ユーザは、コピーが想定した通りに行われなかったことに気づいたとしても、原稿６２をコンタクトガラス４１上にセットする操作をやり直す必要がある。
【００５９】
また、複数枚の記録用紙６１に対してコピーを行う場合には、ユーザは、コピーが正常に行われなかったことに気づいた時点で即座にコピーを中断させることができる。したがって、誤ったコピーが大量に行われて記録用紙６１が無駄になることを回避することができる。
【００６０】
また、載置領域Ｅ１の後端は、読取可能領域Ｅ３の後端から前後方向８の後方へ距離Ｌ５だけ離れた位置にある。このような構成によると、読取可能領域Ｅ３は、載置領域Ｅ１及び排出領域Ｅ２よりも前後方向８の後方に離れて位置するため、原稿６２のうち筐体１３の前面１４に沿って下方に垂下される長さが短くなり、原稿６２が排紙トレイ２０に排出された記録用紙６１を覆う前後方向８の長さを短くすることができる。したがって、原稿６２の長手方向の長さが比較的短い場合には、記録用紙６１の前端側の一部が視認可能となり、ユーザが、記録用紙６１に記録された画像の一部を更に視認しやすくなる。
【００６１】
また、Ｌ２＞Ｌ１であることから、記録用紙６１が原稿６２に覆われない領域は、記録用紙６１（本実施形態においてはＡ４）の短辺に沿って形成される。ユーザは、記録用紙６１の短辺と、画像の端との位置関係を確認することで、文書が記録用紙６１に対して正しい位置や角度で記録されているか、又は記録用紙６１の短辺から画像までの空白領域の長さが適切であるかをより容易に確認することができる。また、記録用紙６１に記録された画像が、長手方向を縦方向とした横書きの文書である場合、記録用紙６１の短辺周辺には、文書のヘッダやタイトルが存在していることが多い。ユーザは、文書のヘッダやタイトルを視認することで、コピーした原稿６２が誤ったものではないかをより容易に確認することができる。
【００６２】
また、Ｌ２＞Ｌ１であり、Ｌ４＞Ｌ５であることから、プリンタ部１１及びスキャナ部１２が占有するスペースは、前後方向８よりも左右方向９に大きくなる。つまり、複合機１０は、左右方向９の寸法が比較的大きくなる代わりに、前後方向８の寸法を小さくすることができ、奥行きの浅い棚などにも容易に設置可能となる。
【００６３】
また、スキャナ部１２全体をプリンタ部１１に対して左右方向９にずらすことができるので、上下方向７において、スキャナ部１２とプリンタ部１１とが重ならない部分に一定の空きスペースを確保することができる。このスペースには、例えば、プリンタ部１１やスキャナ部１２を制御するための制御回路や、電源等を配置することができる。
【００６４】
［変形例１］
上述の実施形態において、操作パネル１６は、筐体１３の前面１４のうち、左右方向９において、読取可能領域Ｅ３と概ね重なる位置に設けられていた。本変形例においては、操作パネル１６の少なくとも一部が、前面１４のうち、図７にＲ１で示される範囲に設けられている。例えばＲ１の範囲には、複合機１０にコピーを指示するための操作ボタン１８が設けられていてもよい。このような構成によると、ユーザが操作パネル１６を操作して、複合機１０にコピーを行わせる場合、原稿６２をめくり上げて操作ボタン１８の位置を確認したり、原稿６２の下側に手を入れて、手探りで操作ボタン１８の位置を確認することなく、操作ボタン１８の位置を目視によって認識することができる。
【００６５】
［その他の変形例］
上述の実施形態において、Ｌ１〜Ｌ５の値は一例であり、本発明の作用効果を損なわない範囲で異なる値が採用されてもよい。
【００６６】
また、上述の実施形態において、操作パネル１６は、筐体１３の前面１４に設けられていたが、操作パネル１６は、必ずしも前面に設けられている必要はない、例えば、操作パネル１６は、筐体１３の上面４２であって、コンタクトガラス４１よりも、前後方向８の前方に設けられていてもよい。
【００６７】
また、上述の実施形態において、排紙トレイ２０は、伸縮自在な構成とされていたが、排紙トレイ２０は、必ずしも伸縮自在である必要はなく、常に筐体１３の前面から延出されたものであってもよい。
【００６８】
また、上述の実施形態において、搬送路２７は、Ｕターン路２８と直線路とを有していたが、搬送路２７には、片面に画像が記録された記録用紙６１の表裏面を反転させて再び記録部３１へと送る追加の搬送路が設けられていてもよい。つまり、プリンタ部１１は両面印刷可能に構成されていてもよい。
【符号の説明】
【００６９】
１０・・・複合機
１１・・・プリンタ部
１２・・・スキャナ部
１４・・・前面
１５・・・開口
１６・・・操作パネル
１９・・・給紙トレイ（第１トレイ）
２０・・・排紙トレイ（第２トレイ）
２６・・・背面
２７・・・搬送路
４１・・・コンタクトガラス（画像読取面）
４３・・・原稿カバー
５２・・・ラインセンサ（イメージセンサ）
６１・・・記録用紙
６２・・・原稿
Ｌ４・・・長さ（第１距離）
Ｌ５・・・長さ（第２距離）
Ｅ１・・・載置領域
Ｅ２・・・排出領域
Ｅ３・・・読取可能領域
【図１】
0006048539.tif 000002
【図２】
0006048539.tif 000003
【図３】
0006048539.tif 000004
【図４】
0006048539.tif 000005
【図５】
0006048539.tif 000006
【図６】
0006048539.tif 000007
【図７】
0006048539.tif 000008